(57)【要約】【課題】コンパクトなサイズ及び軽い重量のバックライトアセンブリ及び表示装置を提供する。【解決手段】表示装置は、プレート形状を有する光学部材と、光学部材と向かい合うように配置された底部、底部及び光学部材の間に収納容器を形成するために底部の外周部から光学部材に向かって延長された側壁、及び光学部材をサポートするために側壁のうち、少なくとも２つに形成された第１支持部を含む収納容器と、底部に配置された基板及び基板上に搭載された光源を含む光源モジュールと、光学部材及び光源の間に介在し、光源から発生した光をミキシングするための光ミキシング部材と、第１支持部に対応して光学部材上に配置され光学部材を固定する固定部材と、固定部材上に固定され光を画像が含まれたイメージ光に変更させる表示パネルと、表示パネルの周辺部を押圧して固定するシャーシと、を含む。これによって、表示装置のサイズをよりコンパクト化することができる。【選択図】図１
2006202753.tif 000002
【特許請求の範囲】
【請求項１】
光学部材と、
前記光学部材にカラー光を供給する光源モジュールと、
前記光学部材と前記光源モジュールとの間に介在する光ミキシング部材と、
前記光源モジュールを収納する溝が形成された底部、並びに前記底部の外周部から延長され前記光学部材を支持する第１支持部、及び前記光ミキシング部材を支持する第２支持部が形成された側壁を含む収納容器と、を含むバックライトアセンブリ。
【請求項２】
前記収納容器の前記底部に配置される反射部材を更に含み、
前記反射部材は、前記側壁に沿って前記第２支持部まで延長されて形成されることを特徴とする請求項１記載のバックライトアセンブリ。
【請求項３】
前記第１及び第２支持部は、前記側壁のうち、少なくとも２箇所に形成されることを特徴とする請求項１記載のバックライトアセンブリ。
【請求項４】
前記第１支持部は、前記外周部上に互いに向かい合う一対の前記側壁にそれぞれ形成されることを特徴とする請求項３記載のバックライトアセンブリ。
【請求項５】
前記収納容器は、前記底部及び光源モジュールの間に介在する放熱板を更に含み、
前記放熱板は薄膜形状を有することを特徴とする請求項１記載のバックライトアセンブリ。
【請求項６】
前記放熱板の熱伝導率は、１００Ｗ／ｍＫ〜５００Ｗ／ｍＫであることを特徴とする請求項５記載のバックライトアセンブリ。
【請求項７】
前記放熱板の厚さは、０．０２０インチ〜０．０６０インチ（０．５０ｍｍ〜１．５ｍｍ）であることを特徴とする請求項５記載のバックライトアセンブリ。
【請求項８】
前記光学部材を固定する固定部材を更に含むことを特徴とする請求項１記載のバックライトアセンブリ。
【請求項９】
前記固定部材には、前記光学部材を固定するための第１固定溝、及び前記第１固定溝と対向する第２固定溝が形成されることを特徴とする請求項８記載のバックライトアセンブリ。
【請求項１０】
前記光学モジュールは、前記カラー光が発生する点光源、前記点光源に電源を供給する基板、及び前記点光源で発生した光の方向を変更させるレンズを含むことを特徴とする請求項１記載のバックライトアセンブリ。
【請求項１１】
前記点光源は、赤色発光ダイオード、緑色発光ダイオード、及び青色発光ダイオードにより構成されたグループから選択された一つ以上の発光ダイオードを含むことを特徴とする請求項１０記載のバックライトアセンブリ。
【請求項１２】
前記光学部材は、前記光学部材に入射した前記カラー光を拡散させるための拡散板であることを特徴とする請求項１記載のバックライトアセンブリ。
【請求項１３】
前記底部上に配置される反射部材を更に含むことを特徴とする請求項１記載のバックライトアセンブリ。
【請求項１４】
前記収納容器の内側面に沿って形成された反射層を更に含むことを特徴とする請求項１記載のバックライトアセンブリ。
【請求項１５】
前記反射層は、前記第１支持部と前記第２支持部との間の領域に形成されることを特徴とする請求項１４記載のバックライトアセンブリ。
【請求項１６】
プレート形状を有する光学部材と、
前記光学部材にカラー光を供給する光源モジュールと、
前記光学部材と前記光源モジュールとの間に介在する光ミキシング部材と、
前記光源モジュールを収納する少なくとも一つ以上の溝が形成された底部、並びに前記底部の外周部から延長され前記光学部材を支持する第１支持部、及び前記光ミキシング部材を支持する第２支持部が形成された側壁を含む収納容器と、
前記第１支持部に結合されたパネルガイド部材と、
前記光学部材と向かい合うように前記パネルガイド部材に配置された表示パネルと、
前記表示パネルの周辺部を固定して前記収納容器に結合されたシャーシと、を含むことを特徴とする表示装置。
【発明の詳細な説明】
【技術分野】
【０００１】
本発明はバックライトアセンブリ及びこれを有する表示装置に関し、より詳細には、本発明は画像の表示品質を向上させ、サイズ、体積、及び重量を減少させたバックライトアセンブリ、及びこれを有する表示装置に関する。
【背景技術】
【０００２】
表示装置は、情報処理装置で処理されたデータに従って画像を表示する。
【０００３】
表示装置は、陰極線管表示装置（ＣＲＴ）、液晶表示装置（ＬＣＤ）、プラズマ表示パネル（ＰＤＰ）、及び電界発光表示装置等が代表的である。
【０００４】
これらの表示装置のうち、液晶表示装置は、液晶を利用して画像を表示する。一般に、液晶表示装置は、透過型液晶表示装置、反射型液晶表示装置、及び反射−透過型液晶表示装置に区分される。
【０００５】
一般に、これらの液晶表示装置は、共通して光源を含む。表示装置に用いられる光源は、発光ダイオード（ＬＥＤ）、冷陰極線管ランプ（ＣＣＦＬ）、及び平板蛍光ランプ（ＦＦＬ）等が代表的である。
【０００６】
これらのうち、発光ダイオードから発生された光の輝度は、冷陰極線管ランプ又は平板蛍光ランプから発生された光の輝度より高く、発光ダイオードの消費電力は冷陰極線管ランプ及び平板蛍光ランプより低い。
【０００７】
発光ダイオードから発生した光の輝度は、発光ダイオードの周辺温度に従って変化する。発光ダイオードの周辺温度が上昇すると、発光ダイオードから発生した光の輝度は減少され、画像の表示品質が低下する。
【０００８】
従来の表示装置に適用される発光ダイオードには、発光ダイオードから発生した熱を迅速に放熱するために、体積が大きい冷却部材が搭載され、これによって表示装置の重量、体積、及びサイズは増加される。
【０００９】
又、発光ダイオードを含む表示装置は、発光ダイオードから発生した光の輝度の均一性を向上させるために、拡散板を含む。しかし、従来の発光ダイオードを含む表示装置は、拡散板を支持するための支持部材を必要とし、これによって表示装置の重量、体積、及びサイズが増加される。
【発明の開示】
【発明が解決しようとする課題】
【００１０】
従って、本発明の目的は、従来技術による一つ又はそれ以上の問題点及び制限を実質的に除去することにある。
【００１１】
本発明の目的は、コンパクトなサイズ及び軽い重量のバックライトアセンブリを提供することにある。
【００１２】
本発明の他の目的は、前記バックライトアセンブリを含む表示装置を提供することにある。
【課題を解決するための手段】
【００１３】
このような本発明の目的を具現するために、本発明によるバックライトアセンブリは、光学部材、前記光学部材にカラー光を供給する光源モジュール、前記光学部材と前記光源モジュールとの間に介在する光ミキシング部材、及び光源モジュールを収納する収納空間が形成された底部、前記底部の周辺部から延長され前記光学部材を支持する第１支持部、及び前記光ミキシング部材を支持する第２支持部が形成された側壁で構成された収納容器を含む。
【００１４】
本発明による表示装置は、光学部材、光源モジュール、光ミキシング部材、収納容器、パネルガイド部材、及び表示パネルを含む。光学部材はプレート形状を有し、光源モジュールは光学部材にカラー光を供給する。光ミキシング部材は、光学部材と光源モジュールとの間に介在する。収納容器は、光源モジュールを収納する少なくとも一つ以上の溝が形成された底部、底部の外周部から延長され光学部材を支持する第１支持部、及び光ミキシング部材を支持する第２支持部が形成された側壁を含む。パネルガイド部材は第１支持部に結合され、表示パネルは光学部材と向かい合うように前記パネルガイド部材に配置される。シャーシは表示パネルの周辺部を固定し、収納容器に結合される。
【発明を実施するための最良の形態】
【００１５】
以下、添付図面を参照して、本発明の好ましい実施形態を詳細に説明する。
【００１６】
バックライトアセンブリ
（第1実施形態）
図１は、本発明の第１実施形態によるバックライトアセンブリの分解断面図である。図２は、図１に図示された収納容器を示す斜視図である。
【００１７】
図１及び図２を参照すると、バックライトアセンブリ９０は、光学部材１０、光源モジュール３０、光ミキシング部材４０、及び収納容器２０を含む。
【００１８】
光学部材１０は、プレート形状を有する。光学部材１０は、例えば、直六面体プレート形状を有することができる。光学部材１０は、複数個の側面１１、光入射面１２、及び光入射面１２と向かい合う光出射面１３を有する。光学部材１０は、例えば、光を拡散させる拡散板である。
【００１９】
光源モジュール３０は、光学部材１０にカラー光を供給する。光源モジュール３０は、光学部材１０の光入射面１２と向かい合う。光源モジュール３０は、光源３１、基板３２、及びレンズ３３を含む。
【００２０】
光源３１は、例えば、カラー光を発生させる。カラー光は、赤色光、緑色光、及び青色光を含む。カラー光を発生するための光源３１の例としては、赤色光を発生する赤色発光ダイオード、緑色光を発生する緑色発光ダイオード、青色光を発生する青色発光ダイオード、又は、白色光を発生する白色発光ダイオード等が挙げられる。
【００２１】
光源３１は、基板３２上に直列配置される。これと異なり、光源３１は基板３２上にジグザグ形態に配置されることもできる。
【００２２】
基板３２は、光源３１及びレンズ３３を収納する。基板３２は、例えば、直六面体プレート形状を有する。光源３１は、カラー光を発生させるために、電源（図示せず）と電気的に連結されている。電源からの電流は、基板３２を通じて光源３１に供給される。本実施形態において、基板３２は、例えば、印刷回路基板でも良い。
【００２３】
一方、光源３１から発生したカラー光の輝度は、各光源３１の周辺温度に従って変化する。例えば、光源３１の周辺温度が上昇すると、光源３１から発生したカラー光の輝度は減少する。光源３１の周辺温度が上昇することを抑制するために、印刷回路基板のような基板３２の表面には、好ましく、熱伝導率に優れた金属、例えば、アルミニウム、アルミニウム合金等がコーティングされることができる。
【００２４】
レンズ３３は、光源３１に結合されるか付着され、各光源３１から発生された光はレンズ３３を通じて出射される。レンズ３３は、光源３１から出射されたカラー光の進行角度を変更させ、これによってカラー光から白色光を発生するのに必要な収納領域の体積は減少する。
【００２５】
光ミキシング部材４０はプレート形状を有し、光ミキシング部材４０は、光学部材１０及び光学モジュール３０の間に介在する。光ミキシング部材４０の下では、各光源３１から発生された赤色光、緑色光、及び青色光のようなカラー光がミキシングされる。
【００２６】
収納容器２０は、底部２１及び側壁２２を含む。本実施形態において、収納容器２０は、例えば、金属プレートで製作される。
【００２７】
収納容器２０の底部２１は、光学部材１０の光入射面１２と向かい合う。底部２１は、例えば、光入射面１２と対応する直六面体プレート形状を有する。
【００２８】
収納容器２０の底部２１には、光学モジュール３０を収納するための収納部２１ａが形成される。収納部２１ａは、光学モジュール３０を収納するために、底部２１上に形成された陥没部を有する。
【００２９】
光学モジュール３０が収納部２１ａに収納される場合、光源３１及び光ミキシング部材４０の間に形成された間隔は減少し、これによって表示装置９５のサイズ及び体積を減少させることができる。
【００３０】
平面上で見た場合、収納部２１ａの形状は、光学モジュール３０の形状と実質的に同じ直六面体形状を有する。収納部２１ａの底面積は、基板３２を収納するために、基板３２の底面積よりも広いことが好ましい。
【００３１】
収納容器２０の側壁２２は、第１支持部２７及び第２支持部２４ａ、２６ａを含む。側壁２２は底部２１の外周部に配置され、底部２１に対して垂直な方向に配置される。本実施形態において、収納容器２０の側壁２２は、第１側壁２３、第２側壁２４、第３側壁２５、及び第４側壁２６を含む。第１側壁２３は第３側壁２５と向かい合い、第２側壁２４は第４側壁２６と向かい合う。側壁２２によって、光学部材１０及び底部２１の間には収納領域が形成される。
【００３２】
側壁２２には、光学部材１０を支持するための第１支持部２７が形成される。
【００３３】
第１支持部２７は、第１側壁２３〜第４側壁２６のうち、互いに向かい合う少なくとも２箇所に形成される。第１支持部２７は、例えば、互いに向かい合う第１側壁２３及び第４側壁２６上にそれぞれ形成されることができる。
【００３４】
第１支持部２７は、第１側壁２３及び第４側壁２６の一部を第１側壁２３及び第４側壁２６に対して垂直方向に折り曲げて形成する。
【００３５】
第１支持部２７を側壁２２上に形成すれば、収納容器２０の底部２１上に光学部材１０を支持するためのモールドフレームを形成する必要がなくなる。
【００３６】
第１支持部２７が形成された第１側壁２３及び第４側壁２６には、第２支持部２４ａ、２６ａがそれぞれ形成されることができる。これと異なり、第２支持部２４ａ、２６ａは、第２側壁２４及び第３側壁２５に形成されても良い。
【００３７】
第２支持部２４ａ、２６ａは、光ミキシング部材４０を支持する。第２支持部２４ａ、２６ａは、光ミキシング部材４０を支持するために、第１側壁２３及び第４側壁２６の一部を折り曲げて形成することができる。これと異なり、第２支持部２４ａ、２６ａは、第１側壁２３及び第４側壁２６の内側面から突出した突起でも良い。これと異なり、第２支持部２４ａ、２６ａは、第１側壁２３及び第４側壁２６の内側面に付着した光ミキシング部材４０を支持するための支持部材でも良い。
【００３８】
一方、第１支持部２７に配置された光学部材１０を固定するために、第１支持部２７上には固定部材９３が配置される。
【００３９】
固定部材９３は、第１固定部９３ａ及び第２固定部９３ｂを含む。第１固定部９３ａは第１支持部２７上に配置され、第２固定部９３ｂは第１固定部９３ａから側壁２４と平行な方向に延長される。
【００４０】
第１固定部９３ａには、光学部材１０を固定するための固定溝９３ｃが形成され、第１固定部９３ａ上には表示パネルを固定するための突出部９３ｄが形成される。前記固定溝９３ｃは、前記固定部材９３に階段状に形成されても良い。本実施形態において、固定部材９３は、光学部材１０及び表示パネルの両方を固定するが、これと異なり、固定部材９３は、光学部材１０を固定する光学部材固定部材、及び表示パネルを固定する表示パネル固定部材を含むこともできる。
【００４１】
（第２実施形態）
図３は、本発明の第２実施形態によるバックライトアセンブリの断面図である。図４は、図３に図示されたＡ部分の拡大図である。本発明の第２実施形態によるバックライトアセンブリは、後述の反射板を除いては、第1実施形態の表示装置と同じである。従って、同じ部材には第１実施形態と同じ参照番号を付与して、その重複説明は省略する。
【００４２】
図３及び図４を参照すると、バックライトアセンブリ９０は、反射部材５０を更に含む。反射部材５０は、収納容器２０の底部２１上に光ミキシング部材４０と向かい合うように配置される。反射部材５０は、収納部２１ａに収納された光学モジュール３０のレンズ３３から出射された光が通過する開口部５１を含む。
【００４３】
反射部材５０は、光ミキシング部材４０によって反射された光を光ミキシング部材４０に向かって更に反射させ、光ミキシング部材４０と反射板５０との間ではカラーミキシングが行われる。反射部材５０の光反射率は、収納容器２０の光反射率及び光学モジュール３０の光反射率より大きいことが好ましい。
【００４４】
一方、反射部材５０の外周部は、収納容器２０の第２側壁２４及び第４側壁２６の内側面に沿って延長されることができる。反射部材５０の周辺部は、第２支持部２４ａ、２６ａまで延長されることができる。従って、反射部材５０の外周部は、第２支持部２４ａ、２６ａ及び光ミキシング部材４０の間に介在する。これと異なり、反射部材５０の外周部は、第２支持部２４ａ、２６ａから側壁２２の内側面に沿って光学部材１０の光入射面１２まで延長されることもできる。
【００４５】
（第３実施形態）  図５は、本発明の第３実施形態によるバックライトアセンブリの断面図である。図６は、図５に図示されたＢ部分の拡大図である。本発明の第３実施形態によるバックライトアセンブリは、後述の光反射シートを除いては、第２実施形態のバックライトアセンブリと同じである。従って、同じ部材には第２実施形態と同じ参照番号を付与して、その重複説明は省略する。
【００４６】
図５及び図６を参照すると、側壁２２の第２支持部２４ａ、２６ａよりも上部には、シート形状を有する光反射シート２９が配置される。光反射シート２９の光反射率は、反射板５０の光反射率以上であることが好ましい。
【００４７】
光反射シート２９は、光源モジュール３０で発生した光のうち、側壁２２に向かう光を光ミキシング部材４０に反射させる。これによって、バックライトアセンブリ９０から出射した光の輝度及び光の輝度均一性をより向上させることができる。
【００４８】
（第４実施形態）
図７は、本発明の第４実施形態によるバックライトアセンブリの断面図である。図８は、図７に図示されたＣ部分の拡大図である。本発明の第４実施形態によるバックライトアセンブリは、後述の放熱部材を除いては、第２実施形態の表示装置と同じである。従って、同じ部材には第２実施形態と同じ参照番号を付与し、その重複説明は省略する。
【００４９】
図７及び図８を参照すると、収納容器２０の底部２１と光源モジュール３０の基板３２との間には放熱部材６０が介在する。本実施形態による放熱部材６０は薄膜形状を有し、放熱部材６０の熱伝導率は１００Ｗ／ｍＫ〜５００Ｗ／ｍＫであることが好ましい。本実施形態において、放熱部材６０の厚さは、０．０２０インチ〜０．０６０インチ（０．５０ｍｍ〜１．５ｍｍ）であることが好ましい。
【００５０】
薄膜形状を有する放熱部材６０の体積及びサイズは、典型的な金属冷却ピン又は冷却パイプ等の体積及びサイズより小さく、放熱部材６０の熱伝導率は、金属冷却ピン、冷却パイプ等の熱伝導率に対して数倍〜数十倍以上である。
【００５１】
薄膜形状を有する放熱部材６０の例としては、米国Ｇｒａｆｔｅｃｈ  ｉｎｔｅｒｎａｔｉｏｎａｌ（株）で生産される商品名「Ｓｐｒｅａｄｅｒ  ｓｈｉｅｌｄ」等が挙げられる。
【００５２】
収納容器２０の底部２１及び光源モジュール３０の間に介在する放熱部材６０によって収納容器２０のサイズ、体積、及び重量は大幅に減少する。
【００５３】
表示装置
（第５実施形態）
図９は、本発明の第５実施形態による表示装置の分解断面図である。
【００５４】
図９を参照すると、表示装置９５は、バックライトアセンブリ９０、表示パネル９１、及びシャーシ９４を含む。
【００５５】
バックライトアセンブリ９０は、光学部材１０、光源モジュール３０、光ミキシング部材４０、及び収納容器２０を含む。
【００５６】
光学部材１０はプレート形状を有する。光学部材１０は、例えば、直六面体プレート形状を有することができる。光学部材１０は、複数個の側面１１、光入射面１２、及び光入射面１２と向かい合う光出射面１３を有する。光学部材１０は、例えば、光を拡散させる拡散板である。
【００５７】
光源モジュール３０は、光学部材１０にカラー光を供給する。光源モジュール３０は、光学部材１０の光入射面１２と向かい合う。光源モジュール３０は、光源３１、基板３２、及びレンズ３３を含む。
【００５８】
光源３１は、例えば、カラー光を発生させる。カラー光は、赤色光、緑色光、及び青色光を含む。カラー光を発生するために、光源３１の例としては、赤色光を発生する赤色発光ダイオード、緑色光を発生する緑色発光ダイオード、青色光を発生する青色発光ダイオード、又は、白色光を発生する白色発光ダイオード等が挙げられる。
【００５９】
光源３１は、基板３２上に直列配置される。これと異なり、光源３１は、基板３２上にジグザグ形態に配置されることもできる。
【００６０】
基板３２は、光源３１及びレンズ３３を収納する。基板３２は、例えば、直六面体プレート形状を有する。光源３１は、カラー光を発生させるための電源を必要とし、電源からの電流は基板３２を通じて光源３１に供給される。本実施形態において、基板３２は、例えば、印刷回路基板でも良い。
【００６１】
一方、光源３１から発生されたカラー光の輝度は、各光源３１の周辺温度によって変更される。例えば、光源３１の周辺温度が上昇する場合、光源３１から発生したカラー光の輝度は減少する。光源３１の周辺温度が上昇することを抑制するために、印刷回路基板のような基板３２の表面には、好ましくは、熱伝導率に優れた金属、例えば、アルミニウム、アルミニウム合金等がコーティングされることができる。
【００６２】
レンズ３３は、光源３１に結合されるか付着され、各光源３１で発生した光はレンズ３３を通じて出射される。レンズ３３は、光源３１から出射されたカラー光の進行角度を変更させ、これによってカラー光から白色光を発生させるのに必要な収納領域の体積は減少する。
【００６３】
光ミキシング部材４０はプレート形状を有し、光ミキシング部材４０は、光学部材１０及び光学モジュール３０の間に介在する。光ミキシング部材４０は、各光源３１で発生した赤色光、緑色光、及び青色光のようなカラー光をミキシングして、白色光を発生させる。光ミキシング部材４０は、カラー光をミキシングするのに必要な体積を大幅に減少させる。
【００６４】
収納容器２０は、底部２１及び側壁２２を含む。本実施形態において、収納容器２０は、例えば、金属プレートで製作される。
【００６５】
収納容器２０の底部２１は、光学部材１０の光入射面１２と向かい合う。底部２１は、例えば、光入射面１２と対応する直六面体プレート形状を有する。
【００６６】
収納容器２０の底部２１には、光学モジュール３０を収納するための収納部２１ａが形成される。収納部２１ａは、光学モジュール３０を収納するために、底部２１上に形成されたリセス形状を有する。
【００６７】
光学モジュール３０が収納部２１ａに収納される場合、光源３１と光ミキシング部材４０との間の間隔を減少させることができ、これによって表示装置９５のサイズ及び体積を減少させることができる。
【００６８】
平面上で見た場合、収納部２１ａの形状は、光学モジュール３０の形状と実質的に同じ直六面体形状を有する。収納部２１ａの底面積は、基板３２を収納するために基板３２の底面積より広いことが好ましい。
【００６９】
収納容器２０の側壁２２は、第１支持部２７及び第２支持部２４ａ、２６ａを含む。側壁２２は底部２１の外周上に配置され、底部２１に対して垂直な方向に配置される。本実施形態において、収納容器２０の側壁２２は、第１側壁２３、第２側壁２４、第３側壁２５、及び第４側壁２６を含む。
【００７０】
第１側壁２３は第３側壁２５と向かい合い、第２側壁２４は第４側壁２６と向かい合う。側壁２２によって光学部材１０及び底部２１の間には、収納領域が形成される。
【００７１】
側壁２２には、光学部材１０を支持するための第１支持部２７が形成される。
【００７２】
第１支持部２７は、第１側壁２３〜第４側壁２６のうち、互いに向かい合う少なくとも２箇所に形成される。第１支持部２７は、例えば、互いに向かい合う第１側壁２３及び第４側壁２６上にそれぞれ形成されることができる。
【００７３】
第１支持部２７は、第１側壁２３及び第４側壁２６の一部を第１側壁２３及び第４側壁２６に対して垂直方向に折り曲げて形成する。
【００７４】
第１支持部２７を側壁２２上に形成すれば、収納容器２０の底部２１上に光学部材１０を支持するためのモールドフレームを形成する必要がなくなる。
【００７５】
第１支持部２７が形成された第１側壁２３及び第４側壁２６には、第２支持部２４ａ、２６ａがそれぞれ形成されることができる。これと異なり、第２支持部２４ａ、２６ａは、第２側壁２４及び第３側壁２５に形成されても良い。
【００７６】
第２支持部２４ａ、２６ａは、光ミキシング部材４０を支持する。第２支持部２４ａ、２６ａは、光ミキシング部材４０を支持するために、第１側壁２３及び第４側壁２６の一部を折り曲げて形成することができる。これと異なり、第２支持部２４ａ、２６ａは、第１側壁２３及び第４側壁２６の内側面から突出した突起でも良い。これと異なり、第２支持部２４ａ、２６ａは、第１側壁２３及び第４側壁２６の内側面に付着した光ミキシング部材４０を支持するための支持部材でも良い。
【００７７】
一方、第１支持部２７に配置された光学部材１０を固定するために、第１支持部４７上には固定部材９３が配置される。
【００７８】
固定部材９３は、第１固定部９３ａ及び第２固定部９３ｂを含む。第１固定部９３ａは第１支持部２７上に配置され、第２固定部９３ｂは第１固定部９３ａから側壁２４と平行な方向に延長される。
【００７９】
第１固定部９３ａには、光学部材１０を固定するための固定溝９３ｃが形成され、第１固定部９３ａ上には、表示パネルを固定するための突出部９３ｄが形成される。本実施形態において、固定部材９３は、光学部材１０及び表示パネルを両方とも固定するが、これと異なり、固定部材９３は、光学部材１０を固定する光学部材固定部材、及び表示パネルを固定する表示パネル固定部材を含むこともできる。
【００８０】
表示パネル９１は、複数個の画素電極及び薄膜トランジスタを有する薄膜トランジスタ基板９１ａ、共通電極及びカラーフィルターを有するカラーフィルター基板９１ｃ、及び薄膜トランジスタ基板９１ａ及びカラーフィルター基板９１ｃの間に介在する液晶層９１ｂを含む。表示パネル９１は、固定部材９３の第１固定部９３ａに形成された突出部９３ｄに配置される。
【００８１】
シャーシ９４は、表示パネル９１を固定部材９３上に固定させる。シャーシ９４は、第１シャーシ部９４ａ及び第２シャーシ部９４ｂを含む。第１シャーシ部９４ａは、表示パネル９１の周辺部を押圧して固定し、第２シャーシ部９４ｂは、第１シャーシ部９４ａから第２固定部９３ｂに沿って延長される。第２シャーシ部９４ｂ及び固定部材９３の第２固定部９３ｂは、好ましくは、フック結合されることができる。
【産業上の利用可能性】
【００８２】
以上で詳細に説明したように、バックライトアセンブリのサイズをよりコンパクトに製作することができ、バックライトアセンブリ及び表示装置の体積及び重量を増加させることなく、表示装置の画像の表示品質をより向上させることができる。
【００８３】
以上、本発明の実施形態によって詳細に説明したが、本発明はこれに限定されず、本発明が属する技術分野において通常の知識を有するものであれば本発明の思想と精神を離れることなく、本発明を修正または変更できる。
【図面の簡単な説明】
【００８４】
【図１】本発明の第１実施形態によるバックライトアセンブリの分解断面図である。
【図２】図１に図示された収納容器を示す斜視図である。
【図３】本発明の第２実施形態によるバックライトアセンブリの断面図である。
【図４】図３に図示されたＡ部分の拡大図である。
【図５】本発明の第３実施形態によるバックライトアセンブリの断面図である。
【図６】図５に図示されたＢ部分の拡大図である。
【図７】本発明の第４実施形態によるバックライトアセンブリの断面図である。
【図８】図７に図示されたＣ部分の拡大図である。
【図９】本発明の第５実施形態による表示装置の分解断面図である。
【符号の説明】
【００８５】
１０    光学部材、
１２    光入射面、
２０    収納容器、
２１ａ    収納部、
３０    光源モジュール、
３１    光源、
３２    基板、
３３    レンズ、
４０    光ミキシング部材、
９０    バックライトアセンブリ、
９５    表示装置。
【図１】
2006202753.tif 000003
【図２】
2006202753.tif 000004
【図３】
2006202753.tif 000005
【図４】
2006202753.tif 000006
【図５】
2006202753.tif 000007
【図６】
2006202753.tif 000008
【図７】
2006202753.tif 000009
【図８】
2006202753.tif 000010
【図９】
2006202753.tif 000011